(57)【要約】【課題】起動後の操作画面においてＰＯＳ端末の起動によるものか単独操作の起動によるものかを操作者が判別できる決済端末及びそのプログラムを提供する。【解決手段】ＰＯＳ端末から送信されるコマンドの受信に基づいて起動して表示部に表示されるまたは単独操作によって起動して上記表示部に表示される入力画面における操作者の入力操作の下に決済処理を進める決済端末において、上記ＰＯＳ端末からの上記ＰＯＳコマンドを検出する検出手段と、上記検出手段による上記ＰＯＳコマンドの検出に基づいて、上記入力画面が上記ＰＯＳ端末からの起動画面であることを報知する報知手段と、を有する。【選択図】図５
2015162178.tif 000002
【特許請求の範囲】
【請求項１】
ＰＯＳ端末から送信されるコマンドの受信に基づいて起動して表示部に表示されるまたは単独操作によって起動して前記表示部に表示される入力画面における操作者の入力操作の下に決済処理を進める決済端末において、
前記ＰＯＳ端末からの前記コマンドを検出する検出手段と、
前記検出手段による前記コマンドの検出に基づいて、前記入力画面が前記ＰＯＳ端末からの起動画面であることを報知する報知手段と、
を備えることを特徴とする決済端末。
【請求項２】
前記報知手段は、
前記入力画面が前記ＰＯＳ端末から起動されたものであることを、前記単独操作によって前記表示部に表示される入力画面の使用色に対して補色となるカラー色を前記ＰＯＳ端末から起動された入力画面に配色することにより、報知する、
ことを特徴とする請求項１記載の決済端末。
【請求項３】
前記報知手段は、
前記入力画面が前記ＰＯＳ端末から起動されたものであることを、前記ＰＯＳ端末から起動された入力画面に前記ＰＯＳ端末のタイムアウト時間を表示することにより、報知する、
ことを特徴とする請求項１または２記載の決済端末。
【請求項４】
前記報知手段は、
前記入力画面が前記ＰＯＳ端末から起動されたものであることを、前記ＰＯＳ端末から起動された入力画面をアニメーション表示することにより、報知する、
ことを特徴とする請求項１乃至３の内の何れか一つに記載の決済端末。
【請求項５】
前記報知手段は、
前記入力画面が前記ＰＯＳ端末から起動されたものであることを、前記ＰＯＳ端末から起動された入力画面を前記表示部に表示している間に、音声ガイダンスにより報知する、
ことを特徴とする請求項１乃至４の内の何れか一つに記載の決済端末。
【請求項６】
ＰＯＳ端末から送信されるコマンドの受信に基づいて起動して表示部に表示されるまたは単独操作によって起動して前記表示部に表示される入力画面における操作者の入力操作の下に決済処理を進める決済端末を制御するコンピュータを、
前記ＰＯＳ端末からの前記コマンドを検出する検出手段と、
前記検出手段による前記コマンドの検出に基づいて、前記入力画面が前記ＰＯＳ端末からの起動画面であることを報知する報知手段と、
として機能させるためのプログラム。
【発明の詳細な説明】
【技術分野】
【０００１】
本発明の実施形態は、決済端末及びそのプログラムに関する。
【背景技術】
【０００２】
現金以外の決済手段として例えばクレジット決済や電子マネー決済がある。現金での決済はＰＯＳ（Point  of  Sales）端末で処理されるが、クレジット決済や電子マネー決済はＰＯＳ端末に接続された決済端末で処理される。決済端末は、ＰＯＳ端末から受信した決済情報に基づいて業務を起動し、クレジット決済処理や電子マネー決済処理を実行する。業務を起動した後は、タイムアウトになる前に操作者は所定の入力を行わなければならない。
【０００３】
しかし、決済端末は、ＰＯＳ端末からのコマンドを受けて業務を起動することのほか、ＰＯＳ端末とは無関係に操作者の単独操作で業務を起動することもできるものである。
ＰＯＳ端末からの起動後の画面（トップ画面）は業務を選択するための業務選択メニュー画面となり、単独操作における画面と略同じものが表示される。また、トップ画面から展開する画面についても同様に単独操作における画面と略同じものが表示される。このため、決済端末で一度業務が起動してしまうと、現在の起動画面がＰＯＳ端末からの起動によるものなのか、それとも単独操作からの起動によるものなのかを操作者が判別できなくなることがある。特に、ＰＯＳ端末からの起動による場合にＴＯＰ画面において操作者が単独操作によるものと勘違いをして次の入力操作に時間をかけたり、単独操作で見慣れている画面でもあるためＰＯＳ起動独自の画面がまだ表示されていないものと勘違いをして画面を待ち続けたりするというケースに陥る場合がある。このまま入力操作を行わなければ、そのままタイムアウトになるため対策が必要である。
【発明の概要】
【発明が解決しようとする課題】
【０００４】
本発明の実施形態が解決しようとする課題は、起動後の操作画面においてＰＯＳ端末の起動によるものか単独操作の起動によるものかを操作者が判別できる決済端末及びそのプログラムを提供することである。
【課題を解決するための手段】
【０００５】
実施形態の決済端末は、ＰＯＳ端末から送信されるコマンドの受信に基づいて起動して表示部に表示されるまたは単独操作によって起動して上記表示部に表示される入力画面における操作者の入力操作の下に決済処理を進める決済端末において、上記ＰＯＳ端末からの上記コマンドを検出する検出手段と、上記検出手段による上記コマンドの検出に基づいて、上記入力画面が上記ＰＯＳ端末からの起動画面であることを報知する報知手段と、を有する。
【図面の簡単な説明】
【０００６】
【図１】図１は、第１の実施形態に係る決済端末と、決済端末と通信接続するＰＯＳ端末の概観斜視図である。
【図２】図２は、決済端末のシステムブロック図である。
【図３】図３は、決済端末における決済処理の画面遷移図である。
【図４】図４は、決済端末における決済処理のフローチャートである。
【図５】図５は、単独操作で表示する業務選択メニュー画面とＰＯＳ連動で表示する業務選択メニュー画面の比較画面である。
【図６】図６は、ＰＯＳ連動で表示する業務選択メニュー画面に表示窓を構成したときの画面構成図である。
【図７】図７は、タイムアウト時間をカウントダウン表示するための処理フローである。
【図８】図８は、ＰＯＳ連動で表示する業務選択メニュー画面を点滅させた場合の表示画面例である。
【図９】図９は、音声ガイダンスを流す手段を備えた決済端末のシステムブロック図である。
【発明を実施するための形態】
【０００７】
（第１の実施形態）
図１は、第１の実施形態に係る決済端末と、決済端末に通信接続するＰＯＳ端末の概観斜視図である。
【０００８】
図１の決済端末１は、本体１０の上部に開閉自在の上面パネル１１を備えている。この上面パネル１１の表面には、操作部としてのタッチセンサを備えたタッチパネル１２を表面に重ねた液晶ディスプレイ１３が配設されている。後述する入力画面や報知用の画面は液晶ディスプレイ１３に表示される。上面パネル１１を開くと、本体１０の内部に設けられた印字部（不図示）が露出し、印字部にロール状のレシート用紙をセットできるようになる。決済端末１は本体１０と上面パネル１１との間にレシート発行口１４を備え、ここから印字部で印字されたレシートが発行される。
【０００９】
決済端末１は、ＰＯＳ端末２や不図示のセンタサーバなどとの通信を行うための各種の通信インタフェースを内部にもち、ＰＯＳ端末２やセンタサーバなどと接続するための通信ケーブル接続部（不図示）を本体１０の下部に備えている。同図はこの内の、通信ケーブルＫを介したＰＯＳ端末２との接続状態を示している。後述するＰＯＳ端末２からのＰＯＳコマンドは通信ケーブルＫを介して内部の通信インタフェースで受信する。
【００１０】
決済端末１は、更に、本体１０の側面上部に、カード読取／書込部１５を備えている。カード読取／書込部１５に磁気カードやＩＣカードなどの決済カードを挿入し、決済端末１にそのカード情報を読み取らせる。
決済端末１は、更に、不図示であるが決済時に客に暗証番号を入力させるためのキーパッド部や電子マネーカードへの書込みやカード情報の読み取りを行うＮＦＣ（近距離無線通信）規格対応のマルチリーダライタなども備えている。
なお、各部へ電力を供給する電源は本体１０に内蔵されており、各部への電源投入は、本体１０の下部の側面に備えた電源スイッチ１６により行う。
【００１１】
一方、ＰＯＳ端末２は、商品キーや決済キーなどの商品会計用のキーが配列したキーボード２０や、商品情報や商品金額などを表示するキャッシャー用のディスプレイ２１や、客用ディスプレイ２２や、伝票等を収納するドロワ２３などを備えたＰＯＳ端末である。
ＰＯＳ端末２には決済端末１と通信ケーブルＫを介して接続するための通信インタフェースや通信ケーブル接続部が備わっている。後述するＰＯＳコマンドは、キャッシャーがキーボード２０の決済キーを押下することにより、ＰＯＳ端末２から通信ケーブルＫを通じて決済端末１へ送信される。
【００１２】
図２は、図１の決済端末のシステムブロック図である。
決済端末１は、ＣＰＵ１００、ＲＯＭ１０１と、ＲＡＭ１０２、ＦｌａｓｈＲＯＭ１０３、コントローラ１０４、計時部１０５、および通信Ｉ／Ｆ１０６〜１０８がバスラインＢＬを介して相互に接続されて構成されている。
ＣＰＵ１００は中央演算処理装置であり、プログラムの命令コードやデータを読み込んで、各部の制御や各種演算処理を実行する。
【００１３】
ＲＯＭ１０１は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリである。ここに、ＯＳ（Ｏｐｅｒａｔｉｎｇ  Ｓｙｓｔｅｍ）の起動プログラムや初期設定プログラムなどが格納される。
【００１４】
ＲＡＭ１０２は、ＳＲＡＭ（Ｓｔａｔｉｃ  Ｒａｎｄｏｍ  Ａｃｃｅｓｓ  Ｍｅｍｏｒｙ）やＤＲＡＭ（Ｄｙｎａｍｉｃ  Ｒａｎｄｏｍ  Ａｃｃｅｓｓ  Ｍｅｍｏｒｙ）などの書換え可能な揮発性メモリである。ＲＡＭ１０２は、プログラムの展開のための領域として、または実行中の中間データやパラメータ値を一時的に記憶するためのワーク領域として使用される。
【００１５】
ＦｌａｓｈＲＯＭ１０３は、電源を切っても記憶情報が保持される書換え自在のメモリである。ここには業務処理プログラムＭ（後述する図３に示すプログラム）や表示用データＮ（後述する図４、図５に示す各種の画像データ）などの、各種プログラムやデータが格納されている。
【００１６】
コントローラ１０４は、図１において液晶ディスプレイ１３として示されている表示部１０９と、同じく図１においてタッチパネル１２として示されている操作部１１０と、同じく図１においてカード読取／書込部１５として示されているカード読取／書込部１１１と、印字部１１２とに接続されており、ＣＰＵ１００の制御の下に各部１０９〜１１２を制御する。操作部１１０やカード読取／書込部１１１から入力があると、適宜ＣＰＵ１００に割り込み信号を送信する。
【００１７】
表示部１０９は、ＣＰＵ１００の制御により、ＦｌａｓｈＲＯＭ１０３に格納されている表示用データを内部の表示用メモリに展開して液晶ディスプレイ１３の画面に表示する。
操作部１１０は、液晶ディスプレイ１３に表示された入力ボタンの画面上の位置を操作者がタッチすることにより、操作部１１０から画面上の位置を示す入力信号を受け付け、その位置の入力ボタン画像に割り当てられている処理命令をＣＰＵ１００に送信する。
【００１８】
カード読取／書込部１１１は、カード読取／書込部１５に挿入された磁気カードやＩＣカードからカード情報を読み取りＣＰＵ１００に送信する。
印字部１１２は、ＣＰＵ１００から送信された印字データをレシート用紙に印字するプリンターである。
計時部１０５は、システム内のクロック信号を入力して計時するカウンタ回路などにより構成されるものである。計時部１０５はタイマ機能などを備えている。
【００１９】
通信Ｉ／Ｆ１０６は、ＰＯＳ端末と通信を行うための通信インタフェースである。実施形態では図１のＰＯＳ端末２と通信ケーブルＫを介して有線接続される。通信規格としては、例えばＲＳ２３２ＣやＵＳＢ（Universal  Serial  Bus）などが用いられる。通信Ｉ／Ｆ１０６では、ＰＯＳ端末との通信の確立やデータ送受信が行われる。送受信データとしては例えばＰＯＳ端末から送信されるＰＯＳコマンドや通信Ｉ／Ｆ１０６からＰＯＳ端末に送信する応答データなどがある。なお、本実施形態では有線接続する構成をとっているが、これに限らず無線通信用のインタフェースを使用して、ＰＯＳ端末２と無線通信を行うようにしても良い。
【００２０】
通信Ｉ／Ｆ１０７は、センタサーバと接続するための通信インタフェースである。決済端末１は、通信Ｉ／Ｆ１０７を通じてセンタサーバと決済処理を行う。
通信Ｉ／Ｆ１０８は、ＮＦＣ規格に対応し、電子マネーカードやポイントカードに対して読み取りや書き込みを行うインタフェースである。
不図示であるが、この他にも決済時に客に暗証番号を入力させるためのキーパッド部なども備えている。
このような構成下で、ＰＯＳコマンドの検出手段は次のように構成される。
通信Ｉ／Ｆ１０６は、ＰＯＳ端末２から通信データを受信するとＣＰＵ１００に通知する。ＣＰＵ１００は、その通知を受けると、通信データに組み込まれているＰＯＳコマンドを取り出し、ＰＯＳ端末２からの業務処理の開始の指示であることを検出する。ＣＰＵ１００はこの検出により、ＦｌａｓｈＲＯＭ１０３内の所定アドレスに格納されている命令を読み出して実行する。この実行により、後で詳しく述べるが、ＰＯＳ端末２からの起動で表示部１０９に入力画面やメッセージ画面等が表示されると共に、その起動画面がＰＯＳ端末２からの起動によるものであることを報知する報知手段を実現する。
【００２１】
続いて、決済端末１における決済処理を図３及び図４を用いて説明する。
図３は、決済端末１における決済処理の画面遷移図である。
図４は、決済端末１における決済処理のフローチャートである。
図３の上段に並ぶ画面は、決済端末において単独操作で決済処理を行った場合の画面遷移図である。単独操作とは、ＰＯＳコマンドとは無関係に決済端末１で操作者により単独で行われる操作のことである。下段に並ぶ画面は、ＰＯＳ端末からのＰＯＳコマンドによって起動した（つまりＰＯＳ連動による）決済処理の画面遷移図である。
【００２２】
上段および下段の各画面は、同図の矢印Ｙが示すように、左から右へ遷移する。
図３の上段と下段の画面遷移の比較から明らかなように、決済端末において単独操作で決済処理を行った場合の画面遷移と、ＰＯＳ連動による決済処理の画面遷移とで共通する画面が多い。以下では、それぞれの画面遷移及び処理の流れを具体的に述べ、単独操作とＰＯＳ連動との共通点と違いを比較する。
【００２３】
なお、決済端末１で行う処理はいくつかあるが、以下では、図４に示す業務処理の流れを中心に説明する。このため、後述する初期画面からは「業務」タブを選択し、「業務」タブに割り当てられた取引処理を実行するものとして説明する。また、単独操作において説明すべきことはＰＯＳ連動との画面遷移及び画面イメージの比較である。このため、処理の詳細は図３の画面遷移で説明するものとし、図４の処理フローにおいて処理の詳細は省略するものとする。
【００２４】
決済端末１の電源スイッチ１６を入れ、ＯＳを起動すると、初期画面が立ち上がる。
図４は、初期画面が立ち上がった後の決済処理の処理フローである。
先ず、シャットダウンの操作がないことを判定する（Ｓ１）。
ステップＳ１で「ＹＥＳ」判定の場合、ＰＯＳ端末２からＰＯＳコマンドを受信したか否かを判定する（Ｓ２）。ＰＯＳコマンドは、ＰＯＳ端末２においてキャッシャーが決済キーを押下することにより決済端末１に向けて送信されるものである。ＰＯＳコマンドの受信は通信Ｉ／Ｆ１０６を通じて行われ、通信Ｉ／Ｆ１０６で受信があるとＣＰＵ１００でこれを検出する。
【００２５】
ステップＳ２で「ＮＯ」判定の場合、操作者により操作部１１０から入力を受けたか否かを判定する（Ｓ３）。
ステップＳ３で「ＮＯ」判定の場合、ステップＳ１の処理に戻り、ステップＳ１からの処理を再び繰り返す。つまり、ステップＳ１からステップＳ３のルーチンでＰＯＳコマンドの受信、操作部１１０からの操作入力、またはシャットダウンの操作を監視する。
【００２６】
ステップＳ３で「ＹＥＳ」判定の場合、つまり初期画面において「業務」「集計」「設定」「練習」および「再印字」の内の何れかのタブが操作者の単独操作により選択された場合、選択されたタブに割り当てられた処理を実行する。
【００２７】
ステップＳ３で「業務」タブの入力を検出すると、「業務」タブに割り当てられた取引処理を実行する（Ｓ４）。
図３の上段はその取引処理における画面遷移である。
同図に示すように、「業務」タブが選択されると先ず、業務選択メニュー画面（図３（ａ））を表示する。業務選択メニュー画面では「クレジット」「電子マネー」など使用するカードの種類をボタンを押下して選択する。このような操作者にボタンの押下などの入力を求める画面をまとめて入力画面と呼ぶ。
【００２８】
業務選択メニュー画面においてカードの種類の選択が終わると、選択したカードをカード読取／書込部１５に挿入するように客に対するメッセージ画面を表示する（図３（ｂ））。
カード情報の読み取りを検出すると、続いて「セキュリティコードの入力画面（図３（ｃ））」「商品コードの入力画面（図３（ｄ））」「金額の表示画面（図３（ｅ））」をこの順に表示する。
【００２９】
次に、支払い方法を選択する支払方法選択メニュー画面（図３（ｆ））を表示する。この支払方法選択メニュー画面には「一括払い」「ボーナス」「分割払い」などの選択ボタンが配置される。
支払方法選択メニュー画面において何れかの選択ボタンが選択されると、暗証番号の入力を客に求めるメッセージ画面（図３（ｇ））を表示する。
【００３０】
キーパッドからの暗証番号の入力が終わると、決済内容の確認画面（図３（ｈ））を表示する。この画面には、実行ボタンが表示されている。
客はその画面で内容を最終確認し、取引きに合意するための実行ボタンを押すと、決済端末１はセンタサーバと通信接続し、その通信状態を示すメッセージ画面（図３（ｉ））を表示する。取引きが完了し、センタサーバとの通信を切断すると完了メッセージ（図３（ｊ））を表示し、取引処理を終了する。
【００３１】
ここで、図４の説明に戻り、ステップＳ４に続く処理を説明する。
ステップＳ４において単独操作による取引処理を終了すると、取引き内容をレシート用紙に印字し、伝票を発行する（Ｓ５）。
ステップＳ５の伝票の発行後は、ステップＳ１に戻り、ステップＳ１からの処理を再び実行する。
このように、ステップＳ１からステップＳ５のルーチンで単独操作による取引処理を行う。
【００３２】
一方、ＰＯＳ連動による取引処理は、ＰＯＳコマンドを受信し、ステップＳ２で「ＹＥＳ」判定となった場合に行われる。以下はそのＰＯＳ連動による取引処理の説明である。
【００３３】
ステップＳ２で「ＹＥＳ」判定の場合、先ず、ＰＯＳ端末２から決済金額等の決済に必要な情報を受信していることを知らせるデータ受信メッセージ画面（図３（ｐ））を表示し、その後業務選択メニュー画面（図３（ｑ））を表示する（Ｓ６）。ＰＯＳ端末２からのデータ受信は障害等が起こらなければ一瞬である。また決済端末１での取引処理にできるだけ速く移行させるため、データ受信メッセージ画面（図３（ｐ））から業務選択メニュー画面への切換えは速い。その後に表示する業務選択メニュー画面（図３（ｑ））については、単独操作の表示画面（図３（ａ））と構成が略同じとなっている。ただし、ＰＯＳ連動で起動した画面であることを操作者に報知するための報知手段が新たに備わっている。
【００３４】
図５は、単独操作で表示する業務選択メニュー画面（図３（ａ））とＰＯＳ連動で表示する業務選択メニュー画面（図３（ｑ））の比較画面である。
同図に示すように、ＰＯＳ連動で表示する業務選択メニュー画面５００ｑも単独操作で表示する業務選択メニュー画面５００ａも、共通して５つのタブ５０１〜５０５と、４つの選択ボタン（クレジット５１１、デビット５１２、銀聯（登録商標）５１３、電子マネー５１４）が構成されている。更に、紙送りボタン５２１、ヘルプボタン５２２、及びスクロールボタン５２３が構成されている。
【００３５】
この画面例では、決済端末１の単独操作ではポイント処理ができるので、単独操作で表示する業務選択メニュー画面５００ａにおいて選択ボタン５１５が更に構成されている。
この２つの類似した画面において、本実施形態では、単独操作で表示する業務選択メニュー画面５００ａの使用色とは異なる色で、ＰＯＳ連動で表示する業務選択メニュー画面５００ｑを配色した。
【００３６】
具体的には、単独操作で表示する業務選択メニュー画面５００ａの使用色の補色をＰＯＳ連動で表示する業務選択メニュー画面５００ｑに配色した。
補色とは、色相環で正反対に位置する関係の色の組合せのことである。例えば、印刷物における色要素ＣＭＹＫでは「赤」の補色は「青緑」、「橙」の補色は「青」、「黄色」の補色は「青紫」などとなる。光の三原色ＲＧＢにおいても同様な考え方で、補色を割り当てる。予め、単独操作で表示する業務選択メニュー画面５００ａに使用した色の色情報（ＲＧＢ値等）に基づき、補色となる色情報を算出して、ＰＯＳ連動で表示する業務選択メニュー画面５００ｑにその算出結果の色情報を設定する。
【００３７】
図５の業務選択メニュー画面５００ｑにおいては、操作性を考慮して、５つのタブ５０１〜５０５と、４つの選択ボタン５１１〜５１４と、紙送りボタン５２１、及びヘルプボタン５２２は単独操作のものと同色を使用し、その他の背景色等を補色とした。図５においてはモノクロで示されているが、少なくとも補色を用いる領域はカラー色（赤、青、黄色など）とする。
【００３８】
この例の場合、画面全体の約２０％程度を補色で構成することができている。
なお、ＰＯＳ連動であることを操作者により認識させることを優先する場合は、余り使用しないボタンを優先的に補色としたり、更に、頻繁に使用する選択ボタンやタブボタンも補色にするなどして画面全体における補色領域を増やし、最終的には画面全体の１００％を補色で構成するようにしても良い。この場合、対象の部品に設定している色情報（ＲＧＢ値等）を変更したり、表示画面の対象領域を座標値で指定してその領域の色情報を変更したりすることにより、補色領域を拡大する。
【００３９】
なお、本実施形態では、各画面において操作者にＰＯＳ連動であることを意識させるために、図３の下段で示すように、業務選択メニュー画面以後の各画面も補色で構成した。
【００４０】
図４に戻り、ステップＳ６からの処理を説明する。
ステップＳ６の業務選択メニュー画面の表示後、ＰＯＳ端末２との通信接続が解除されたか否かを判定する（Ｓ７）。ＰＯＳ端末２との通信接続の解除は、タイムアウト時間を過ぎた場合や何らかの通信トラブルにより生じるものである。
ステップＳ７で「ＮＯ」判定の場合、業務選択メニュー画面において選択ボタンの入力があったか否かを判定する（ステップＳ８）。
【００４１】
ステップＳ８で「ＹＥＳ」判定の場合、選択したカードをカード読取／書込部１５に挿入するように客に対するメッセージ画面（図３（ｒ））を表示する（Ｓ９）。
続いて、ステップＳ１０でカード情報の読み取りが行われたか否かを判定する。
ステップＳ１０で「ＹＥＳ」判定の場合、ＰＯＳ端末２から送られた商品金額の表示画面（図３（ｓ））を表示し、続いて支払い方法を選択する支払方法選択メニュー画面（図３（ｔ））を表示する（Ｓ１１）。
【００４２】
続いて、ステップＳ１２で支払いボタンが選択されたか否かを判定する。
ステップＳ１２で「ＹＥＳ」判定の場合、暗証番号の入力を客に求めるメッセージ画面（図３（ｕ））を表示する（Ｓ１３）。
続いて、ステップＳ１４で暗証番号が入力されたか否かを判定する。
【００４３】
ステップＳ１４で「ＹＥＳ」判定の場合、決済内容の確認画面（図３（ｖ））を表示する（Ｓ１５）。
続いて、ステップＳ１６で実行ボタンが入力されたか否かを判定する。
ステップＳ１６で「ＹＥＳ」判定の場合、通信中を示すメッセージ画面（図３（ｗ））を表示し、決済端末１はセンタサーバと決済のための通信を行う（Ｓ１７）。
【００４４】
続いて、ステップＳ１８でセンタサーバから決済完了を示す信号を受信したか否かを判定する。
ステップＳ１８で「ＹＥＳ」判定の場合、センタサーバとの通信を切断し、完了メッセージ（図３（ｘ））を表示する（Ｓ１９）。
【００４５】
そして、全ての取引処理は終了したので、この取引き内容をレシート用紙に印字し、伝票を発行する（Ｓ２０）。伝票の発行後は、ステップＳ１に戻り、ステップＳ１からの処理を繰り返し実行する。
【００４６】
なお、ステップＳ８からステップＳ１８までの判定処理において「ＮＯ」判定の場合は、ステップＳ７の処理に戻り、ステップＳ７からの処理を繰り返し実行する。つまり決済端末１で入力を伴う画面を表示した際に必ず１度タイムアウトとなったか否かの判定を行う。
また、ステップＳ７で「ＹＥＳ」判定の場合、ステップＳ１に戻る。
また、ステップＳ１で「ＮＯ」判定の場合、処理を終了する。
【００４７】
なお、本実施形態で採り上げた業務処理の流れは一例である。業務処理の流れはユーザにより異なるので適宜設定して良い。
また、単独操作により起動した画面とＰＯＳ連動により起動した画面は一例を示したものであり、この限りではない。報知手段を除くそれらの類似度は低くても良いし、また完全に一致するものであっても良い。ただし、完全に近いものであればあるほど、報知手段の効果は大きいものとなる。
【００４８】
以上のように本実施形態では、ＰＯＳ連動で起動した選択ボタンを備える画面において、ＰＯＳ連動により起動したことを操作者に報知する報知手段として、単独操作により起動した画面の使用色の補色を画面の一部又は全体に適用した。
これにより、決済端末１のような操作者の手のひらに収まるような狭い画面においても、操作者は色の違いによりＰＯＳ連動による起動画面であることをはっきり判別できるようになる。操作者はＰＯＳ連動であることを意識しながら、所定時間内に選択ボタンを操作できるようになる。つまり、タイムアウトによる決済処理の中断が大幅に改善される。
【００４９】
（変形例１）
変形例１では、ＰＯＳ連動により起動した画面であることを示す報知手段として、タイムアウトまでの時間を示す表示窓を画面に構成したものについて説明する。
なお、以下の画面データやプログラムは図１のＦｌａｓｈＲＯＭ１０３に格納するなどして供給されているものとする。
図６は、図５に示すＰＯＳ連動で表示する業務選択メニュー画面５００ｑに報知手段として更にタイムアウト時間を表示するための表示窓を構成したときの画面構成図である。
【００５０】
図６の業務選択メニュー画面５００ｑ−１には、画面内の空きスペース（アイコン等が表示されていない領域）に表示窓６００が設けられている。表示窓６００には、タイムアウトまでの残りの時間を秒単位で示すカウントダウン時間を表示させる。同図においては表示窓６００にタイムアウトまでの残りの時間として１５３ｓ（秒）が示されている。仮に業務選択メニュー画面５００ｑ−１において何れかの選択ボタン５１１〜５１４が押されないままであったとすると、１秒経過するたびに表示窓６００の数字が「１」だけ減少することになる。つまり、表示窓６００の数字が「０ｓ（秒）」になると、タイムアウトということになり、決済端末１での取引処理が中断することになる。操作者は表示窓６００でタイムアウトまでの時間を確認しながら時間内に選択ボタンを押下することになる。
【００５１】
図７は、タイムアウトまでの時間をカウントダウン表示するための処理フローである。
ＣＰＵ１００は、ＰＯＳコマンドを検出すると、検出信号を計時部１０５であるカウンタ回路に入力し、カウンタ回路でカウントを開始させる。カウンタ回路では入力するクロック信号の波の数を数え、クロック信号の周期と波の数により求まる１秒の間隔でＬＯＷ信号とＨＩＧＨ信号を切換えながら出力する。
【００５２】
ＣＰＵ１００は、ＰＯＳコマンドを検出してタイムアウト時間を表示する以下の処理をカウンタ回路からの出力信号の信号切換えを読み取りながら実行する。
なお、ＰＯＳコマンドの検出までの処理は、図４のステップＳ２までの処理と同じものとする。図４においてはステップＳ２で「ＹＥＳ」判定の場合にステップＳ６に移行するが、以下の処理はステップＳ２が「ＹＥＳ」判定の場合に図４の処理と並行して実行される処理である。
【００５３】
先ず、ＰＯＳコマンドが検出されたか否かを判定する（Ｓ２）。
ステップＳ２で「ＹＥＳ」判定の場合、変数Ｉにタイムアウト時間をセットする（Ｓ２１）。
次に、表示窓６００に変数Ｉの値を表示する（Ｓ２２）。言うまでもないが表示窓６００にはタイムアウトまでの時間が１０進数で表示される。この段階ではタイムアウトの上限時間（例えば２７０ｓ）が表示窓６００に表示される。
次に、変数Ｉ＝０であるか否かを判定する（Ｓ２３）。
【００５４】
ステップＳ２３で「ＮＯ」判定の場合、１秒経過するまで待機する（Ｓ２４）。
ステップＳ２４で１秒経過したことが検出されると、変数Ｉから「１」減算してＩ＝Ｉ−１とし（Ｓ２５）、ステップＳ２２の処理に戻り、変数Ｉの値を表示する。つまり、１回目のルーチンでは、最初に表示窓６００に表示したタイムアウトの上限時間（２７０ｓ）から１ｓを引いた時間（２６９ｓ）が表示されることになる。
【００５５】
このようにして、ステップＳ２２からステップＳ２５のルーチンを繰り返すことにより、タイムアウト時間が１秒ごとに減算され、最終的に０となる。
最終的に０となると、ステップＳ２３で「ＹＥＳ」判定となり、例えば表示画面にタイムアウトであることを示すメッセージ画面を表示するなどして（Ｓ２６）、処理を終了する。
なお、この処理は、所定のタイミングで終了させても良い。例えば、タイムアウト時間内に所定の取引処理を終えた段階で図４の処理から終了信号を受信し、ステップＳ２２からステップＳ２５のルーチン内の何れかのところで終了信号を受信したか否かの判定を行わせ、終了信号を受信した場合に処理を終了する。
【００５６】
なお、図６には業務選択メニュー画面５００ｑ−１にのみ表示窓を設けた例を示したが、これに限らず、ＰＯＳ連動での表示画面（図３（ｐ）〜図３（ｘ））の全てにタイムアウトまでの時間を表示する表示窓を設けても良い。
また、表示窓にはタイムアウトまでの残りの時間を表示できるようにしたが、カウントダウンではなく、カウントアップしていくような構成にしても良い。
【００５７】
また、表示窓に１秒単位でカウントダウンする構成を示したが、この限りではない。５秒単位、１分単位など幅のある間隔でも良いし、残り数秒からカウントダウン表示させても良いし、決まった秒数だけ表示し続けるようにしても良い。
【００５８】
変形例１では、画面を補色で構成することに加え、タイムアウトまでの時間を表示する表示窓を構成したが、この限りではない。画面の補色表示を止めて、タイムアウトまでの時間表示のみとする構成としても良い。
以上のように構成することにより、ＰＯＳ連動であることの判別は勿論できるが、それ以上に操作者は後何秒でタイムアウトになるか、選択ボタンを入力しなければならないかということまでを意識できるようになる。
【００５９】
また、ＰＯＳ端末が応答を待つまでの時間（タイムアウト）が最初の業務選択メニュー画面５００ｑ−１からの応答までのときは、最初の入力画面である業務選択メニュー画面５００ｑ−１の表示窓のみでその時間を確認できるようになる。また、遷移画面の途中の画面からの応答まで待つものや取引処理が完了したことを表す最終画面からの応答まで待つものである場合は、遷移中の各画面でタイムアウトまでの時間が分るので、操作者は取引き完了までの操作スピードを予測できるようになる。
【００６０】
（変形例２）
変形例２では、ＰＯＳ連動により起動した画面であることを示す報知手段として、背景等を点滅させるなどのアニメーション処理を施したものについて説明する。
なお、以下の画面データや点滅に伴うプログラムは図１のＦｌａｓｈＲＯＭ１０３に格納するなどして供給されているものとする。
【００６１】
図８は、ＰＯＳ連動で起動する画面において、単独操作のときの画面色と補色とを交互に入れ替えたときの表示画面例である。
図８（ａ）が補色で表示させた状態（ＯＮ状態）であり、図８（ｂ）が補色表示を止めて単独操作のときの画面色を表示させた状態（ＯＦＦ状態）である。
【００６２】
各色は、人が切換えを視認できる速さで交互に入れ替わっている。これにより、人は点滅しているものとして認識する。
つまり、画像をフレーム単位で切り替えてコマ送りを行ったり、対象図形の移動方向と移動量の差分を所定時間間隔で指定して動きをもたせたりするアニメーションと同等の効果を得ることができる。
【００６３】
この各色の入れ替えは、カウンタ回路からの所定周期の出力をトリガにしてトリガ信号の立ち上がりで表示色を補色に設定し、トリガ信号の立下りで単独操作と同じ画面色に設定することをソフト処理により行う。
カウンタ回路からの出力信号の周期を短くすれば画面は高速で点滅するようになり、反対に周期を長くすれば、ゆっくりとした点滅になる。
【００６４】
なお、各コマのフレーム画像を用意して、所定時間間隔で順次コマを再生させればもっと複雑な動きを表現することができる。画面上では所定のフレームレートで表示画面が切り替わるのでアニメーション効果でＰＯＳ起動であることを認識させることができる。また、その際にボタン等の配置を換えなければ、タッチパネルの上からそのボタンを押すことにより、画面上の座標情報が入力されるため、その座標に対応するものつまり表示されているボタンが押されたことを決済端末１は認識できる。
以上のように、変形例２の構成では、画面に動きで表情をもたせるようにした。
この構成であれば、操作者が、ＰＯＳ起動による画面であることに気づきやすくなり、また、点滅であれば、何らかの警告表示であるものと予測しやすいので、処理を放置することがなくなり、操作者は選択ボタンを押したり周辺のスタッフに確認したりするなど、何らかのアクションを取りやすいものとなる。
【００６５】
（変形例３）
変形例３では、ＰＯＳ連動により起動した画面であることを示す報知手段として、音声ガイダンスを流す構成について説明する。
図９は、音声ガイダンスを流す手段を備えた決済端末９のシステムブロック図である。
同図に示すように、図１のシステムブロック図の構成に加え、音声ガイダンスを流す手段として音声再生部９００が備えられている。
【００６６】
音声再生部９００は、録音再生ボードにスピーカを接続した構成のものである。
録音再生ボードのメモリはガイダンスを収録した音声データ（Ｗａｖｅファイル、Ａｕｄｉｏファイル、又はＭＰ３など）を記憶する。
【００６７】
音声再生部９００は、ＰＯＳコマンドが検出されるとＣＰＵ１００からの制御信号によりＨＩＧＨ信号が入力される。また、その後の所定のタイミングでＣＰＵ１００からの制御信号によりＬＯＷ信号に切換わって入力される。
【００６８】
音声再生部９００は、ＨＩＧＨ信号が入力される際の信号の立ち上がりで音声データをセットして先頭から再生を開始する。ＨＩＧＨ信号からＬＯＷ信号に切り替わるとき信号の立下りで音声再生を停止する。
【００６９】
再生された音声データは、Ｄ／Ａ変換や信号増幅などの処理を行いスピーカへ出力され、ガイダンスが音声として外部に流れるようになる。
なお、ガイダンスの内容としては、ＰＯＳ連動で起動していることを示す内容のガイダンスを流す。例えば「この取引処理はＰＯＳ連動により起動しております」などの音声ガイダンスを流す。
【００７０】
また、所定のタイミングとは、ＰＯＳ端末がタイムアウト時間内に業務選択メニュー画面５００ｑ−１からの応答を待つときは、業務選択メニュー画面５００ｑ−１で選択ボタンが選択されるときであり、また、遷移画面の途中の画面からの応答を待つときや取引処理が完了したことを表す最終画面からの応答を待つときは、それぞれ、遷移画面途中で選択ボタンが押されたときや、取引処理の完了を検出したときとする。
【００７１】
また、特に図示しないが、スピーカは決済端末１の内部に、操作者が聞き取りやすい向きで収納されており、決済端末１の筐体の一部にはスピーカからの音声が内部にこもらないように複数の貫通穴が設けられているものとする。
【００７２】
以上のように、変形例３では、音声ガイダンスによりＰＯＳ連動であることを操作者に報知する構成とした。この構成であれば、操作者がＰＯＳ連動であることに気づくだけでなく、周囲のスタッフもＰＯＳ連動による操作であることが画面を覗き込まなくても直ぐに判別できるようになる。
また、ＰＯＳ端末の操作者と決済端末の操作者が異なる場合は、ＰＯＳ端末の操作者はＰＯＳコマンドが届いたことを多少距離があってもその音声ガイダンスを聞いて確かめることができるようになる。
【００７３】
本実施形態の決済端末で使用する各種プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供し、決済端末のＦｌａｓｈＲＯＭなどに読み込ませて実行してもよい。
【００７４】
また、当該プログラムを、インターネット等のネットワークに接続されたコンピュータ上に格納し、ネットワーク経由でダウンロードさせることにより提供するように構成しても良い。
【００７５】
以上の各実施形態において、決済端末およびそのプログラムについていくつかの構成を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７６】
１              決済端末
２              ＰＯＳ端末
１０            本体
１１            上面パネル
１２            タッチパネル
１３            液晶ディスプレイ
１４            レシート発行口
１５            カード読取／書込部
１６            電源スイッチ
２０            キーボード
２１            キャッシャー用のディスプレイ
２２            客用ディスプレイ
２３            ドロワ
Ｋ              通信ケーブル
１００          ＣＰＵ
１０１          ＲＯＭ
１０２          ＲＡＭ
１０３          ＦｌａｓｈＲＯＭ
１０４          コントローラ
１０５          計時部
１０６〜１０８  通信Ｉ／Ｆ
ＢＬ            バスライン
Ｍ              業務処理プログラム
Ｎ              表示用データ
１０９          表示部
１１０          操作部
１１１          カード読取／書込部
１１２          印字部
【先行技術文献】
【特許文献】
【００７７】
【特許文献１】特開２０１２−２５２７２９号公報
【図１】
2015162178.tif 000003
【図２】
2015162178.tif 000004
【図３】
2015162178.tif 000005
【図４】
2015162178.tif 000006
【図５】
2015162178.tif 000007
【図６】
2015162178.tif 000008
【図７】
2015162178.tif 000009
【図８】
2015162178.tif 000010
【図９】
2015162178.tif 000011